(57)【要約】      （修正有）【課題】利用者が起床して状態が変化したときに、スヌーズ機能を制御できるようにする。【解決手段】電化機器は、電化機器を使用した使用者を特定する使用者認証部を備え、電化機器が使用されたことが検出された場合に、近距離無線通信や非接触通信、Ｂｌｕｅｔｏｏｔｈ（登録商標）通信、赤外線通信、電話回線網を利用して、アラーム装置と通信を行う。アラーム装置のスヌーズ解除部３７２は、電化機器からの解除通知を受信し、スヌーズ状態を解除する。【選択図】図６
2013157930.tif 000002
【特許請求の範囲】
【請求項１】
電化機器とアラーム装置とを具備する制御システムにおいて、
前記電化機器が使用されたことを検出する検出部と、
前記検出部が電化機器が使用されたことを検出した場合に、前記アラーム装置のアラームを解除する解除部と、
を備えることを特徴とする制御システム。
【請求項２】
前記解除部は、スヌーズ状態を解除することを特徴とする請求項１に記載の制御システム。
【請求項３】
前記電化機器を使用した使用者を特定する使用者認証部を備え、
前記解除部は、前記使用者認証部が特定した使用者の使用するアラーム装置のアラームを解除することを特徴とする請求項１又は２に記載の制御システム。
【請求項４】
前記電化機器を使用した使用者を選択させる使用者選択部を備え、
前記解除部は、前記使用者選択部で選択された使用者の使用するアラーム装置のアラームを解除することを特徴とする請求項１から３のいずれか一項に記載の制御システム。
【請求項５】
前記制御システムは、複数の電化機器とアラーム装置とを具備し、
第１の前記電化機器は、
第２の前記電化機器を使用した使用者を選択させる使用者選択部を備え、
前記解除部は、前記使用者選択部で選択された使用者の使用するアラーム装置のアラームを解除することを特徴とする請求項４に記載の制御システム。
【請求項６】
電化機器とアラーム装置とを具備する制御システムにおける制御方法において、
検出部が、前記電化機器が使用されたことを検出する検出過程と、
解除部が、前記検出過程で電化機器が使用されたことを検出した場合に、前記アラーム装置のアラームを解除する解除過程と、
を有することを特徴とする制御方法。
【請求項７】
他の電化機器が使用されたことが検出された場合に、自装置のアラームを解除する解除部を備えることを特徴とするアラーム装置。
【請求項８】
アラーム装置のコンピュータに、
他の電化機器が使用されたことが検出された場合に、自装置のアラームを解除する解除手順を実行させるための制御プログラム。
【発明の詳細な説明】
【技術分野】
【０００１】
本発明は、制御システム、制御方法、アラーム装置、及び制御プログラムに関する。
【背景技術】
【０００２】
近年、携帯電話等の端末は、アラーム機能を有する。また、端末によっては、一定間隔毎に繰り返して、アラームを鳴動させるスヌーズ機能を有するものもある。
例えば、特許文献１には、近距離無線通信手段と、近距離無線通信手段による通信成功状態に応じてスヌーズ状態の解除制御をなす制御手段とを含むアラーム装置について記載されている。具体的には、通信が成功するまで所定の処理を繰り返し、通信に成功すると、近距距離無線通信を終了し、スヌーズの動作を終了することになる、と記載されている。
【先行技術文献】
【特許文献】
【０００３】
【特許文献１】特開２００８−２７１４５３号公報
【発明の概要】
【発明が解決しようとする課題】
【０００４】
しかしながら、特許文献１記載の技術では、利用者の起床又は就床に応じて、アラームを制御できない場合がある、という問題があった。
例えば、無線通信における通信成功と失敗は、確率的である。そのため、本来なら通信が不成功になるにも関わらず通信成功と判定されたり、または、通信が成功にも関わらず通信失敗と判定されたりする。このように、通信成功と失敗は確率的であるため、スヌーズ状態の解除制御自体も確率的になる。したがって、特許文献１記載の技術では、利用者が起床しているにも関わらずスヌーズ状態を継続してしまう場合や、また、利用者が就床していないにも関わらずスヌーズ状態を解除してしまう場合があった。
また、例えば、無線通信の通信圏内は不確定であり、例えば、家の形状によっては生活圏全てが近距離無線通信装置の通信範囲となってしまう。そのため、特許文献１記載の技術では、利用者が起床又は就床して状態が変化したにも関わらず、アラーム装置の通信可否が変化せずに、スヌーズ機能を制御できない場合があった。
また、例えば、特許文献１記載の技術では、利用者の起床又は就床とともに、アラーム装置も移動させなければ、スヌーズ機能を制御できないという問題があった。
【０００５】
本発明は上記の点に鑑みてなされたものであり、アラームを制御できる制御システム、制御方法、アラーム装置、及び制御プログラムを提供する。
【課題を解決するための手段】
【０００６】
（１）本発明は上記の課題を解決するためになされたものであり、本発明の一態様は、電化機器とアラーム装置とを具備する制御システムにおいて、前記電化機器が使用されたことを検出する検出部と、前記検出部が電化機器が使用されたことを検出した場合に、前記アラーム装置のアラームを解除する解除部と、を備えることを特徴とする制御システムである。
【０００７】
（２）また、本発明の一態様は、上記の制御システムにおいて、前記解除部は、スヌーズ状態を解除することを特徴とする。
【０００８】
（３）また、本発明の一態様は、上記の制御システムにおいて、前記電化機器を使用した使用者を特定する使用者認証部を備え、前記解除部は、前記使用者認証部が特定した使用者の使用するアラーム装置のアラームを解除することを特徴とする。
【０００９】
（４）また、本発明の一態様は、上記の制御システムにおいて、前記電化機器を使用した使用者を選択させる使用者選択部を備え、前記解除部は、前記使用者選択部で選択された使用者の使用するアラーム装置のアラームを解除することを特徴とする。
【００１０】
（５）また、本発明の一態様は、上記の制御システムにおいて、前記制御システムは、複数の電化機器とアラーム装置とを具備し、第１の前記電化機器は、第２の前記電化機器を使用した使用者を選択させる使用者選択部を備え、前記解除部は、前記使用者選択部で選択された使用者の使用するアラーム装置のアラームを解除することを特徴とする。
【００１１】
（６）また、本発明の一態様は、電化機器とアラーム装置とを具備する制御システムにおける制御方法において、検出部が、前記電化機器が使用されたことを検出する検出過程と、解除部が、前記検出過程で電化機器が使用されたことを検出した場合に、前記アラーム装置のアラームを解除する解除過程と、を有することを特徴とする制御方法である。
【００１２】
（７）また、本発明の一態様は、他の電化機器が使用されたことが検出された場合に、自装置のアラームを解除する解除部を備えることを特徴とするアラーム装置である。
【００１３】
（８）また、本発明の一態様は、アラーム装置のコンピュータに、他の電化機器が使用されたことを検出した場合に、自装置のアラームを解除する解除手順を実行させるための制御プログラムである。
【発明の効果】
【００１４】
本発明によれば、利用者の起床又は就床に応じて、アラームを制御できる。
【図面の簡単な説明】
【００１５】
【図１】本発明の実施形態に係るスヌーズ制御システムを表す概要図である。
【図２】本実施形態に係る電化機器の構成を示す概略ブロック図である。
【図３】本実施形態に係る電化機器の記憶部及び制御部の構成を示す概略ブロック図である。
【図４】本実施形態に係る装置情報テーブルの一例を示す概略図である。
【図５】本実施形態に係るアラーム装置の構成を示す概略ブロック図である。
【図６】本実施形態に係るアラーム装置の記憶部及び制御部の構成を示す概略ブロック図である。
【図７】本実施形態に係るアラーム装置の動作の一例を表すフローチャートである。
【図８】本実施形態に係るスヌーズ制御システムの動作の一例を表すシーケンス図である。
【発明を実施するための形態】
【００１６】
以下、図面を参照しながら本発明の実施形態について詳しく説明する。
図１は、本発明の実施形態に係るスヌーズ制御システムを表す概要図である。この図において、スヌーズ制御システムは、家屋１に、電化機器２及びアラーム装置３を具備する。電化機器２は、例えば、冷蔵庫２ａ、照明装置２ｂ、コンピュータ２ｃである。アラーム装置３は、例えば、携帯電話装置である。アラーム装置３は、設定間隔（例えば、１０分）毎に繰り返して、アラームを鳴動させるスヌーズ機能（再アラーム機能とも呼ばれる）を有する。なお、アラームは、例えば、表示であってもよいし、また、音と振動のいずれか一方であってもよい。
【００１７】
スヌーズ制御システムでは、電化機器２が利用者に使用されたことを検出することで、利用者が起床したことを検出する。例えば、冷蔵庫２ａが扉を開かれたこと、照明装置２ｂが点灯されたこと、又は、コンピュータ２ｃが起動されたこと、を検出することで、利用者が起床したことを検出する。アラーム装置３は、利用者が起床したことを通知されると、スヌーズ状態を解除する。スヌーズ状態を解除するとは、前回の鳴動から設定間隔の時間が経過しても、アラームを鳴動させないことをいう。
【００１８】
また、スヌーズ制御システムの利用者が複数いる場合、電化機器２は認証機能を有してもよい。例えば、冷蔵庫２ａやコンピュータ２ｃは、指紋認証や顔認証、声紋認証等の生体認証機能や、使用者からの入力に基づく認証機能を有する。冷蔵庫２ａやコンピュータ２ｃは、認証機能により、自機器を使用した使用者を識別し、識別された使用者が起床したことを検出する。この場合、その使用者のアラーム装置３は、スヌーズ状態を解除する。
なお、例えば、認証機能のない照明装置２ｂが使用された場合には、使用者選択機能（例えば、リスト表示機能）を有するコンピュータ２ｃが起動される。コンピュータ２ｃに表示されたリストから照明装置２ｂの使用者が選択されると、コンピュータ２ｃは、その使用者のアラーム装置３に対して、解除通知を通知する。解除通知を通知されると、アラーム装置３は、スヌーズ状態を解除する。
【００１９】
図２は、本実施形態に係る電化機器２の構成を示す概略ブロック図である。この図において、電化機器２は、通信部２１、入力部２２、表示部２３、記憶部２４、基本機能部２５、使用者検出部２６、及び制御部２７を含んで構成される。なお、例えば、照明装置２ｂは表示部２３を備えなくてもよいし、入力部２２又は表示部２３は別の筐体（リモートコントローラ等）に設けられてもよい。
【００２０】
通信部２１は、有線または無線により外部装置と通信を行う。例えば、通信部２１は、アラーム装置３と通信を行う。なお、通信部２１は、直接アラーム装置３と通信を行ってもよいし、サーバ装置を介してアラーム装置３と通信を行ってもよい。通信部２１は、例えば、近距離無線通信や非接触通信、Ｂｌｕｅｔｏｏｔｈ（登録商標）通信、赤外線通信、電話回線網を利用した通信を行う。
入力部２２は、利用者が電化機器２を操作するための入力を受け付ける。入力部２２は、例えば、タッチパネルやハードキー、音声入力装置やモーションセンサー等で実現される。入力部２２は、受け付けた入力を表す情報を、制御部２７へ出力する。
【００２１】
表示部２３は、制御部２７で生成した情報を表示する。例えば、表示部２３は、電化機器２が使用された場合に、利用者の一覧を表示する。表示部２３は、例えば、液晶ディスプレイや有機エレクトロルミネッセンス（有機ＥＬ）ディスプレイで実現される。
記憶部２４は、制御部２７で制御に用いる情報を記憶する。記憶部２４は、例えば、半導体メモリで実現される。
【００２２】
基本機能部２５は、各電化機器２特有の基本機能を有する。例えば、冷蔵庫２ａの基本機能部２５は、冷却機能を有する。照明装置２ｂの基本機能部２５は、発光機能を有する。コンピュータ２ｃの基本機能部２５は、情報処理機能を有する。
使用者検出部２６は、光や圧力、音声を検出する。使用者検出部２６は、例えば、指紋センサ、撮像装置、マイクで実現される。なお、使用者検出部２６は、温度、磁気、ガス、超音波、電磁波を検出してもよい。使用者検出部２６は、検出結果を表す情報を、制御部２７へ出力する。
制御部２７は、電化機器２の各部を制御する。
【００２３】
図３は、本実施形態に係る電化機器２の記憶部２４及び制御部２７の構成を示す概略ブロック図である。この図において、記憶部２４は、認証記憶部２４１及び装置情報記憶部２４２を含んで構成される。制御部２７は、使用者認証部２７１、使用者選択部２７２、解除情報生成部２７３、及び解除通知部２７４を含んで構成される。
【００２４】
認証記憶部２４１は、利用者を識別するＩＤ（利用者ＩＤ）と、利用者の認証情報（例えば、利用者の指紋や声紋、ログインＩＤ）と、が対応付けられた認証情報を記憶する。
装置情報記憶部２４２は、利用者ＩＤと、その利用者ＩＤの利用者が使用するアラーム装置３を識別する装置識別情報と、が対応付けられた装置情報（図４参照）を記憶する。
【００２５】
使用者認証部２７１は、入力部２２又は使用者検出部２６から入力された情報と、認証記憶部２４１が記憶する認証情報と、に基づいて、自機器を使用した使用者を識別する。すなわち、使用者認証部２７１は、自機器が使用されたこと、及び、自機器を使用した使用者を検出する。使用者認証部２７１は、自機器を使用した使用者を示す利用者ＩＤを、解除情報生成部２７３へ出力する。
【００２６】
使用者選択部２７２は、使用者選択機能により、使用者選択手段を提供する。具体的には、使用者選択部２７２は、他の電化機器２からの選択機能要求を、通信部２１から入力される。選択機能要求が入力された場合に、使用者選択部２７２は、スヌーズ機能の利用者の一覧を、表示部２３に表示させる。使用者選択部２７２は、入力部２２からの入力に基づいて、その一覧から選択された使用者を示す利用者ＩＤを生成する。使用者選択部２７２は、生成した利用者ＩＤを、解除情報生成部２７３へ出力する。
【００２７】
解除情報生成部２７３は、使用者認証部２７１又は使用者選択部２７２から入力された利用者ＩＤと、装置情報記憶部２４２が記憶する装置情報に基づいて、装置識別情報を生成する。この装置識別情報は、電化機器２を使用した使用者が使用するアラーム装置３の識別情報である。解除情報生成部２７３は、生成した装置識別情報を解除通知部２７４へ出力する。
解除通知部２７４は、装置識別情報が示すアラーム装置３を宛先とする解除通知であって、スヌーズ状態を解除することを示す解除通知を生成する。解除通知部２７４は、生成した解除通知を通信部２１へ出力する。
【００２８】
なお、例えば、認証機能を有しない電化機器２では、制御部２７は、自機器が使用されたことを検出し、自機器の識別情報を含む選択機能要求であって、使用者選択機能の提供を要求する選択機能要求を、使用者選択機能を有する電化機器２へ送信する。
【００２９】
図４は、本実施形態に係る装置情報テーブルの一例を示す概略図である。図示するように装置情報テーブルは、管理番号、利用者ＩＤ、及び装置識別情報の各項目の列を有している。
例えば、装置情報テーブルにおいて、管理番号「１」の装置情報は、利用者ＩＤが「Ａ」であり、その利用者が使用するアラーム装置がアラーム装置「３Ａ」であることを表す。この場合、解除通知部２７４は、使用者認証部２７１又は使用者選択部２７２から利用者ＩＤ「Ａ」が入力されたときに、アラーム装置「３Ａ」宛の解除通知を生成する。なお、利用者は、複数のアラーム装置を使用してもよい。その場合、１つの利用者ＩＤに対して複数の装置情報が対応付けられ、解除通知部２７４は、複数のアラーム装置３宛の解除通知を生成する。例えば、図４では、利用者ＩＤが「Ｂ」の利用者が電化機器２を使用した場合に、複数のアラーム装置「３Ｂ」、「３Ｃ」でスヌーズ状態が解除されることとなる。
【００３０】
図５は、本実施形態に係るアラーム装置３の構成を示す概略ブロック図である。この図において、アラーム装置３は、通信部３１、入力部３２、表示部３３、位置検出部３４、記憶部３５、呼出部３６、及び制御部３７を含んで構成される。
【００３１】
通信部３１は、有線または無線により外部装置と通信を行う。例えば、通信部３１は、電化機器２と通信を行う。なお、通信部３１は、直接電化機器２と通信を行ってもよいし、サーバ装置を介して電化機器２と通信を行ってもよい。通信部３１は、例えば、近距離無線通信や非接触通信、Ｂｌｕｅｔｏｏｔｈ（登録商標）通信、赤外線通信、電話回線網を利用した通信を行う。
入力部３２は、利用者がアラーム装置３を操作するための入力を受け付ける。入力部３２は、例えば、タッチパネルやハードキー、音声入力装置やモーションセンサー等で実現される。入力部３２は、受け付けた入力を表す情報を、制御部３７へ出力する。
【００３２】
表示部３３は、制御部３７で生成した情報を表示する。例えば、表示部３３は、制御部３７の制御に基づいて、アラームを出力（例えば、表示部を点灯、予め定められた画像を表示）する。表示部３３は、例えば、液晶ディスプレイや有機エレクトロルミネッセンス（有機ＥＬ）ディスプレイで実現される。
位置検出部３４は、測位を行うことで、自装置の位置を検出する。位置検出部３４は、例えば、ＧＰＳ（全地球測位システム）で実現される。
記憶部３５は、制御部３７で制御に用いる情報を記憶する。記憶部３５は、例えば、メモリで実現される。
【００３３】
呼出部３６は、音を出力する。例えば、呼出部３６は、制御部３７の制御に基づいて、アラームを出力（アラーム音を出力）する。呼出部３６は、例えば、スピーカである。ただし、本発明はこれに限らず、呼出部３６は、振動装置であってもよい。この場合、例えば、呼出部３６は、制御部３７の制御に基づいて振動を行うことにより、アラームを出力する。
制御部２７は、アラーム装置３の各部を制御する。例えば、制御部２７は、スヌーズ機能がオン（入）の場合、設定された設定間隔毎に、アラームを出力させる制御を行う。また、制御部２７は、電化機器２から解除通知に基づいて、スヌーズ状態を解除する。
なお、制御部２７は、アラーム装置３が携帯電話装置の場合には、携帯電話装置が備える一般的で公知な機能も有する。
【００３４】
図６は、本実施形態に係るアラーム装置３の記憶部３５及び制御部３７の構成を示す概略ブロック図である。この図において、記憶部３５は、アラーム情報記憶部３５１、間隔情報記憶部３５２、及び入切情報記憶部３５３を含んで構成される。制御部３７は、スヌーズ設定部３７１、スヌーズ解除部３７２、計時部３７３、及びスヌーズ制御部３７４を含んで構成される。
【００３５】
アラーム情報記憶部３５１は、アラームの開始時刻（アラーム開始時刻という。例えば、６：００）、及びスヌーズを行う期間（スヌーズ期間という。例えば、３０分）を記憶する。なお、この開始時刻は、スヌーズ状態の開始時刻でもある。
間隔情報記憶部３５２は、スヌーズ機能で、アラームの出力を開始させる間隔（設定間隔）を記憶する。
入切情報記憶部３５３は、アラーム機能及びスヌーズ機能のオンオフ（入切）を示すオンオフ情報を記憶する。また、入切情報記憶部３５３は、スヌーズ状態が解除されたか否かを示す解除情報を記憶する。
【００３６】
スヌーズ設定部３７１は、入力部３２から入力された情報に基づいて、アラーム開始時刻又はスヌーズ期間のいずれか或いは両方を、アラーム情報記憶部３５１に記憶させる。アラーム情報記憶部３５１に入力部３２から入力された情報に基づいて、設定間隔を間隔情報記憶部３５２に記憶させる。また、スヌーズ設定部３７１は、入力部３２から入力された情報に基づいて、オンオフ情報を、入切情報記憶部３５３に記憶させる。スヌーズ設定部３７１は、入力部３２から入力された情報に基づいて、スヌーズ状態が解除されたことを示す解除情報を、入切情報記憶部３５３に記憶させる。
【００３７】
スヌーズ解除部３７２は、通信部３１を介して電化機器２からの解除通知を受信する。スヌーズ解除部３７２は、解除通知を受信した場合、入切情報記憶部３５３にスヌーズ状態が解除されたことを示す解除情報を記憶させる。つまり、スヌーズ解除部３７２は、解除通知に基づいて、スヌーズ状態を解除する。
計時部３７３は、計時を行うことで、現在時刻を示す時刻情報を生成する。計時部３７３は、生成した時刻情報をスヌーズ制御部３７４へ出力する。
【００３８】
スヌーズ制御部３７４は、入切情報記憶部３５３が記憶するオンオフ情報及び解除情報に基づいて、スヌーズ機能を有効又は無効にする。例えば、スヌーズ制御部３７４は、オンオフ情報がアラーム機能及びスヌーズ機能がオンであることを示し、かつ、解除情報が解除されていないことを示す場合に、スヌーズ機能を有効にする（スヌーズ状態である）。一方、スヌーズ制御部３７４は、オンオフ情報がアラーム機能或いはスヌーズ機能がオフであることを示す場合、又は、解除情報が解除されたことを示す場合に、スヌーズ機能を無効にする（スヌーズ状態でない）。
スヌーズ制御部３７４は、スヌーズ状態である場合、計時部３７３から入力された時刻情報、アラーム情報記憶部３５１が記憶するアラーム開始時刻、スヌーズ期間、及び間隔情報記憶部３５２が記憶する設定間隔に基づいて、表示部３３及び呼出部３６にアラームを出力させる。
【００３９】
なお、スヌーズ制御部３７４は、アラーム開始時刻にアラームを出力させるとき、オンオフ情報がスヌーズ機能がオンであることを示す場合に、スヌーズ状態が解除されていないことを示す解除情報を、入切情報記憶部３５３に記憶させてもよい。これにより、アラーム装置３は、その日のアラーム開始時刻以降、初めてスヌーズ状態が解除された場合に、スヌーズ状態を解除できる。
【００４０】
図７は、本実施形態に係るアラーム装置３の動作の一例を表すフローチャートである。
（ステップＳ１０１）利用者は、入力部３２に対して、アラーム機能及びスヌーズ機能を設定する入力を行う。例えば、利用者は、アラーム開始時間及びスヌーズ期間と、スヌーズの設定間隔と、アラーム機能及びスヌーズ機能のオン又はオフのいずれかと、を入力する。スヌーズ設定部３７１は、入力部３２から入力された情報に基づいて、記憶部３５にアラーム開始時刻、スヌーズ期間、設定間隔、及びオンオフ情報を記憶させる。その後、ステップＳ１０２へ進む。
【００４１】
（ステップＳ１０２）スヌーズ制御部３７４は、アラーム情報記憶部３５１が記憶するアラーム開始時刻に、表示部３３及び呼出部３６にアラームを出力させる。これにより、アラーム装置３は、アラーム開始時刻にアラームを鳴動する。ここで、スヌーズ制御部３７４は、スヌーズ状態が解除されていないことを示す解除情報を、入切情報記憶部３５３に記憶させてもよい。その後、ステップＳ１０３へ進む。
（ステップＳ１０３）スヌーズ制御部３７４は、前回のアラームの鳴動（ステップＳ１０２又はＳ１０６）から設定間隔が経過したか否かを判定する。設定間隔が経過していないと判定された場合、ステップＳ１０３へ戻る。一方、設定間隔が経過していると判定された場合、ステップＳ１０４へ進む。
【００４２】
（ステップＳ１０４）スヌーズ制御部３７４は、スヌーズ状態が解除されたか否かを判定する。具体的には、スヌーズ制御部３７４は、入切情報記憶部３５３の解除情報が、スヌーズ状態が解除されたことを示すか否かを判定する。スヌーズ状態が解除されたと判定された場合（解除あり）、アラーム装置３は、動作を終了する。一方、スヌーズ状態が解除されていないと判定された場合（解除あり）、ステップＳ１０５へ進む。
【００４３】
（ステップＳ１０５）スヌーズ制御部３７４は、アラーム開始時刻からスヌーズ期間が経過しているか否かを判定する。スヌーズ期間が経過していると判定された場合、アラーム装置３は、動作を終了する。例えばアラーム開始時刻が６：００でスヌーズ期間が３０分の場合、アラーム装置３は、６：３０以降、アラームを鳴動させないこととなる。一方、スヌーズ期間が経過していないと判定された場合、ステップＳ１０６へ進む。
（ステップＳ１０６）スヌーズ制御部３７４は、表示部３３及び呼出部３６にアラームを出力させる。その後、ステップＳ１０３へ戻る。
以上の動作により、例えばアラーム開始時刻が６：００、スヌーズ期間が３０分、及び設定期間が１０分の場合、アラーム装置３は、６：００から６：３０まで１０分間隔でアラームを鳴動させることとなる。
なお、アラーム装置３は、図７のＳ１０２以降の動作を、定期的（例えば、１日毎）に繰り返してもよい。
【００４４】
図８は、本実施形態に係るスヌーズ制御システムの動作の一例を表すシーケンス図である。
（ステップＳ２０１）利用者Ａ（利用者ＩＤが「Ａ」の利用者）は、電化機器２の１つである電化機器２Ａを使用する。その後、ステップＳ２０２へ進む。
（ステップＳ２０２）電化機器２Ａは、電化機器２Ａが使用されたことを検出する。その後、ステップＳ２０３へ進む。
【００４５】
（ステップＳ２０３）電化機器２Ａは、使用者を認証したか否かを判定する。例えば、電化機器２Ａが冷蔵庫２ａのときに、冷蔵庫２ａの取手に指紋認証機能が付与されている場合には、使用者が冷蔵庫を開いたことを契機に、使用者の認証を行う。使用者が認証できた場合（認証あり）、ステップＳ２０８へ進む。一方、使用者が認証できなかった場合（認証なし）、ステップＳ２０４へ進む。ここで、使用者が認証できなかった場合には、電化機器２Ａが認証機能を有していない場合が含まれる。
【００４６】
（ステップＳ２０４）電化機器２Ａは、電化機器２Ａが、使用者選択機能を有するか否かを判定する。使用者選択機能を有すると判定された場合、ステップＳＳ２０５へ進む。一方、使用者選択機能を有しないと判定された場合、電化機器２Ａは、使用者選択機能の提供を要求する選択機能要求を送信し、ステップＳ２０６へ進む。
（ステップＳ２０５）電化機器２Ａは、使用者選択手段を提供する。その後、ステップＳ２０８へ進む。
【００４７】
（ステップＳ２０６）電化機器２Ｂは、起動する。例えば、電化機器２Ｂは、ステップＳ２０４で送信された選択機能要求を受信した場合に、起動する。その後、ステップＳ２０７へ進む。
（ステップＳ２０７）電化機器２Ｂは、使用者選択手段を提供する。その後、ステップＳ２０８へ進む。
（ステップＳ２０８）利用者Ａは、ステップＳ２０５又はステップＳ２０７で提供された使用者選択手段を用いて、電化機器２Ａの使用者（図８の例では、利用者Ａ）を選択する。その後、ステップＳ２０９へ進む。
【００４８】
（ステップＳ２０９）電化機器２Ａは、ステップＳ２０３での認証結果、又はステップＳ２０８での選択結果に基づいて、使用者が利用者Ａであるか否かを判定する。使用者が利用者Ａであると判定された場合、電化機器２Ａは、利用者Ａのアラーム装置３Ａ（図４参照）に対して解除通知を通知する。その後、ステップＳ２１０へ進む。一方、使用者が利用者Ａでないと判定された場合、ステップＳ２１１へ進む。
（ステップＳ２１０）アラーム装置３Ａは、ステップＳ２０９で通知された解除通知に基づいて、スヌーズ状態を解除する。
（ステップＳ２１１）アラーム装置３Ａは、スヌーズ状態を解除することなく、スヌーズ状態を継続する。
【００４９】
このように、本実施形態では、スヌーズ制御システムは、電化機器２が使用されたことを検出する。スヌーズ制御システムは、電化機器２が使用されたことを検出した場合に、アラーム装置３のアラームを解除する。これにより、スヌーズ制御システムは、利用者が起床して電化機器２を使用した場合に、スヌーズ状態を解除できる。つまり、スヌーズ制御システムは、利用者の起床に応じて、アラーム機能やスヌーズ機能によるアラームを制御できる。例えば、利用者は、起床とともに、アラーム装置３を移動させなくても、スヌーズ状態を解除できる。
【００５０】
また、スヌーズ制御システムは、スヌーズ状態を解除する。スヌーズ制御システムは、利用者の起床に応じて、スヌーズ機能を制御できる。
また、スヌーズ制御システムは、電化機器２を使用した使用者を特定し、特定した使用者の使用するアラーム装置３のアラームを解除する。また、スヌーズ制御システムは、電化機器２を使用した使用者を選択させ、選択された使用者の使用するアラーム装置３のアラームを解除する。これにより、スヌーズ制御システムは、起床して電化機器２を使用した使用者のアラーム装置３に対して、アラームを制御できる。例えば、スヌーズ制御システムの利用者が複数いる場合でも、利用者の起床に応じて、確実にアラームを制御できる。
【００５１】
また、スヌーズ制御システムは、例えば、コンピュータ２ｃは、照明装置２ｂを使用した使用者を選択させ、選択された使用者の使用するアラーム装置３のアラームを解除する。これにより、認証機能や使用者選択機能を提供できない照明装置２ｂが使用された場合でも、スヌーズ制御システムは、スヌーズ状態を解除できる。
【００５２】
なお、上記実施形態において、電化機器２が、自機器が使用されたことを検出する場合、及び、認証機能を有する場合について説明をした。しかし、本発明はこれに限らず、電化機器２と通信可能なサーバ装置が、電化機器２が使用されたことを検出してもよいし、認証機能を有してもよい。また、サーバ装置が、解除通知を生成し、アラーム装置３へ解除通知を送信してもよい。
【００５３】
また、上記実施形態において、アラーム装置３は、予め定められた電化機器２から解除通知を受けた場合にはスヌーズ状態を解除し、予め定められた電化機器２以外の電化機器２から解除通知を受けた場合にはスヌーズ状態を解除しなくてもよい。例えば、アラーム装置３は、解除通知を受け付ける電化機器２の識別情報を記憶部３５に記憶し、その識別情報が解除通知に含まれる識別情報と一致する場合にのみ、スヌーズ状態を解除してもよい。例えば、エアコンや空気清浄機等の電化機器２は、利用者が起床していない場合でも使用される場合がある。この場合、アラーム装置３は、これらの電化機器２から解除通知を通知されても、スヌーズ状態を解除しないので、利用者の起床に応じて、アラームを制御できる。
【００５４】
また、上記実施形態において、電化機器２は、予め定められた機能が使用された場合に解除通知を通知し、それ以外の機能が使用された場合には解除通知を通知しなくてもよい。例えば、電化機器２がエアコンである場合、電化機器２は、「おやすみタイマ」や「おやすみモード」が使用された場合には、解除通知を通知しなくてもよい。また、電化機器２は、使用されたことにより、予め定められた状態遷移をした場合には解除通知を通知し、それ以外の状態遷移の場合には解除通知を通知しなくてもよい。例えば、電化機器２が照明装置である場合、予め定められた機能が使用された場合に解除通知を通知し、それ以外の機能が使用された場合には解除通知を通知しなくてもよい。
【００５５】
また、上記実施形態において、アラーム装置３は、予め定められた複数の電化機器２の全てが使用された場合に、スヌーズ状態を解除してもよい。例えば、アラーム装置３は、複数の照明装置が使用された場合に、スヌーズ状態を解除してもよい。これにより、例えば、利用者が起床してその部屋の照明装置を使用し、その後、他の部屋へ移動して照明装置を使用したときに初めてスヌーズ状態を解除できる。例えば、夜間、起床していない場合でも、寝室の照明装置を使用する場合がある。このアラーム装置３では、他の部屋の照明装置も使用された場合に、スヌーズ状態を解除できるので、利用者の起床に応じて、アラームを制御できる。
【００５６】
また、上記実施形態において、スヌーズ制御システムは、時刻情報に基づいて、解除通知の通知を制御してもよく、スヌーズ状態の解除を制御してもよい。例えば、電化機器２は、予め定められた時間帯（例えば、６：００−１０：００）のみ、電化機器２が使用された場合に解除通知を通知し、その時間帯以外の時刻では電化機器２が使用されても解除通知を通知しなくてもよい。
また、上記実施形態では、スヌーズ制御システムが、利用者の起床に応じてアラーム機能及びスヌーズ機能を制御する場合について説明をしたが、本発明はこれに限らず、利用者の就床応じてアラーム機能及びスヌーズ機能を制御してもよい。
【００５７】
なお、上述した実施形態における電化機器２又はアラーム装置３の一部、をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、電化機器２又はアラーム装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
また、上述した実施形態における電化機器２及びアラーム装置３の一部、または全部を、ＬＳＩ（Ｌａｒｇｅ  Ｓｃａｌｅ  Ｉｎｔｅｇｒａｔｉｏｎ）等の集積回路として実現してもよい。電化機器２及びアラーム装置３の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００５８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５９】
２・・・電化機器、３・・・アラーム装置、冷蔵庫・・・２ａ、照明装置・・・２ｂ、コンピュータ・・・２ｃ、２１・・・通信部、２２・・・入力部、２３・・・表示部、２４・・・記憶部、２５・・・基本機能部、２６・・・使用者検出部、２７・・・制御部、２４１・・・認証記憶部、２４２・・・装置情報記憶部、２７１・・・使用者認証部、２７２・・・使用者選択部、２７３・・・解除情報生成部、２７４・・・解除通知部、３１・・・通信部、３２・・・入力部、３３・・・表示部、３４・・・位置検出部、３５・・・記憶部、３６・・・呼出部、３７・・・制御部、３５１・・・アラーム情報記憶部、３５２・・・間隔情報記憶部、３７１・・・スヌーズ設定部、３７２・・・スヌーズ解除部、３７３・・・計時部、３７４・・・スヌーズ制御部
【図１】
2013157930.tif 000003
【図２】
2013157930.tif 000004
【図３】
2013157930.tif 000005
【図４】
2013157930.tif 000006
【図５】
2013157930.tif 000007
【図６】
2013157930.tif 000008
【図７】
2013157930.tif 000009
【図８】
2013157930.tif 000010